(57)【要約】【課題】ガイダンス音声が途切れるような音声再生を防止しつつ、装置に異常が発生した場合にはそのことを音によって即座に報知することができる画像形成装置を提供する。【解決手段】画像形成装置１０は、画像形成および音による報知を行うための各信号が伝送されるバス２６に接続され、バス２６を経由せずに行うブザー音の出力（第１の報知）およびバス２６を経由して行うガイダンス音声の再生（第２の報知）を実行可能な音声コーデックＩＣ２１と、装置の異常が検出されるとバス２６のビジー状態に応じて音声コーデックＩＣ２１にブザー音の出力またはガイダンス音声の再生を行わせるＣＰＵ１１とを備える。【選択図】図１
2008281870.tif 000002
【特許請求の範囲】
【請求項１】
画像形成および音による報知を行うための各信号が伝送されるバスに接続され、前記バスを経由せずに行う音による第１の報知および前記バスを経由して行う音による第２の報知を実行可能な報知手段と、
装置の異常が検出されると前記バスのビジー状態に応じて前記報知手段に前記第１の報知または前記第２の報知を行わせる制御部と、
を備える
ことを特徴とする画像形成装置。
【請求項２】
前記制御部は、前記バスがビジー状態である場合は前記報知手段に前記第１の報知を行わせ、前記バスがビジー状態でない場合は前記報知手段に前記第２の報知を行わせる
ことを特徴とする請求項１に記載の画像形成装置。
【請求項３】
前記制御部は、前記報知手段に前記第１の報知を行わせているときに前記バスのビジー状態が解除されると前記第２の報知に切り替える
ことを特徴とする請求項１または２に記載の画像形成装置。
【請求項４】
前記制御部は、前記報知手段に前記第２の報知を行わせているときに前記バスがビジー状態になると前記第１の報知に切り替える
ことを特徴とする請求項１乃至３のいずれか１つに記載の画像形成装置。
【請求項５】
前記制御部は、前記バスに接続された他のデバイスによるバスの使用期間が前記バスを経由して前記報知手段に伝送する音声データのサンプリング周期以上の場合に前記バスがビジー状態であると判断する
ことを特徴とする請求項１乃至４のいずれか１つに記載の画像形成装置。
【請求項６】
画像形成および音による報知を行うための各信号が伝送されるバスに接続され、前記バスを経由せずに行う音による第１の報知および前記バスを経由して行う音による第２の報知を実行可能な報知手段と、
装置の異常が検出されるとジョブの実行状態に応じて前記報知手段に前記第１の報知または前記第２の報知を行わせる制御部と、
を備える
ことを特徴とする画像形成装置。
【請求項７】
前記制御部は、前記ジョブが実行されている場合は前記報知手段に前記第１の報知を行わせ、ジョブが実行されていない場合は前記報知手段に前記第２の報知を行わせる
ことを特徴とする請求項６に記載の画像形成装置。
【請求項８】
前記制御部は、前記報知手段に前記第１の報知を行わせているときにジョブが終了すると前記第２の報知に切り替える
ことを特徴とする請求項６または７に記載の画像形成装置。
【請求項９】
前記制御部は、前記報知手段に前記第２の報知を行わせているときにジョブが実行されると前記第１の報知に切り替える
ことを特徴とする請求項６乃至８のいずれか１つに記載の画像形成装置。
【請求項１０】
前記第１の報知はブザー音による報知である
ことを特徴とする請求項１乃至９のいずれか１つに記載の画像形成装置。
【請求項１１】
前記報知手段は、前記第１の報知を行うときは発振回路から入力される所定の周波数のアナログ信号を用いて音を出力する
ことを特徴とする請求項１乃至１０のいずれか１つに記載の画像形成装置。
【請求項１２】
前記報知手段は、前記第２の報知を行うときは前記バスを経由して入力されるデジタル信号の音声データを用いて音声を出力する
ことを特徴とする請求項１乃至１１のいずれか１つに記載の画像形成装置。
【請求項１３】
前記報知手段は、前記第１の報知および前記第２の報知を実行可能な音声ＩＣである
ことを特徴とする請求項１乃至１２のいずれか１つに記載の画像形成装置。
【請求項１４】
前記音声ＩＣは、アナログ信号を入力するためのアナログＩ／Ｆと、デジタル信号を入力するためのデジタルＩ／Ｆとを備え、
前記アナログＩ／Ｆに前記発振回路が接続されている
ことを特徴とする請求項１２に記載の画像形成装置。
【請求項１５】
前記音声ＩＣの前記デジタルＩ／Ｆは前記バスに接続されている
ことを特徴とする請求項１４に記載の画像形成装置。
【請求項１６】
前記異常は、装置の故障、装置の動作エラー、および前記画像形成に用いる消耗品切れの少なくとも１つである
ことを特徴とする請求項１乃至１５のいずれか１つに記載の画像形成装置。
【請求項１７】
前記制御部は、前記異常が発生するか否かを事前に予測し、異常が発生すると予測した場合は前記装置の異常が検出されたと判断する
ことを特徴とする請求項１乃至１６のいずれか１つに記載の画像形成装置。
【請求項１８】
前記第１の報知および前記第２の報知の少なくとも一方は、所定の終了事象が発生しない場合は一定期間行う
ことを特徴とする請求項１乃至１７のいずれか１つに記載の画像形成装置。
【請求項１９】
前記一定期間の設定を変更する設定変更手段を備える
ことを特徴とする請求項１８に記載の画像形成装置。
【発明の詳細な説明】
【技術分野】
【０００１】
本発明は画像形成装置に係り、特に、装置の異常発生時に音で報知する機能を備えた画像形成装置に関する。
【背景技術】
【０００２】
プリンタや複写機などの画像形成装置では、故障や用紙詰まりなどの異常が発生したときにそのことをユーザに報知（通知）する必要がある。たとえば、操作部への表示ではユーザが操作部のある場所に来てそれを見なければ異常を認識できないのに対し、音による報知であれば離れた場所のユーザにも異常の発生を即座に知らせることができるので、特に異常の報知においては音による報知が望まれている。そのため、従来の画像形成装置には、異常が発生したときにブザー音などを出力してユーザに聴覚的に報知する機能を備えたものがある。また近年では、画像形成装置に音声再生によって各種の説明を行う音声ガイダンス機能を搭載する要求が高まっている。
【０００３】
たとえば、画像形成装置において異常の内容などを音声ガイダンスする技術としては、音声データを記憶した音声データメモリと音声出力部とをバスに接続し、音声データメモリからバスを通じて伝送される音声データ（デジタル音声信号）を用いて音声出力部がガイダンス音声を再生し出力する構成が開示されている（たとえば、特許文献１参照）。
【０００４】
また画像形成装置のバスには、ＨＤＤ（Hard Disk Drive）コントローラやＵＳＢ（Universal Serial Bus）コントローラ、ＬＣＤ（Liquid Crystal Display）コントローラなど多数のデバイスが接続されており、画像の読み取り時や書き込み時にはデバイスが動作してバスを通じた画像データ（デジタル画像信号）の伝送を行い、ＬＣＤの動作時にもバスを通じて制御信号などが伝送されている。
【０００５】
【特許文献１】特開２００５−１１１７３３号公報
【発明の開示】
【発明が解決しようとする課題】
【０００６】
画像形成装置に故障やエラーなどの異常が発生した緊急時には、そのことをユーザに即座に伝える必要があるが、上記特許文献１のように、バスを通じて音声データを伝送しガイダンス音声を再生して装置の異常を報知する構成では、バスに接続されたデバイスが動作しバスを経由したデータ伝送が行われている最中に異常が発生すると、デバイスが動作している期間はバスを通じて音声データを伝送することができず、ガイダンス音声の再生が妨げられてしまう。すなわち、バス上の音声データメモリに記憶された音声データをサンプリング周期毎に音声出力部に伝送できず、音声データの供給が音声の再生タイミングに間に合わなくなってガイダンス音声が途切れてしまう可能性がある。
【０００７】
本発明は、上記の事情に鑑みてなされたものであり、ガイダンス音声が途切れるような音声再生を防止しつつ、装置に異常が発生したときにはそのことを音によって即座に報知することができる画像形成装置を提供することを目的としている。
【課題を解決するための手段】
【０００８】
かかる目的を達成するための本発明の要旨とするところは、次の各項の発明に存する。
【０００９】
［１］画像形成および音による報知を行うための各信号が伝送されるバスに接続され、前記バスを経由せずに行う音による第１の報知および前記バスを経由して行う音による第２の報知を実行可能な報知手段と、
装置の異常が検出されると前記バスのビジー状態に応じて前記報知手段に前記第１の報知または前記第２の報知を行わせる制御部と、
を備える
ことを特徴とする画像形成装置。
【００１０】
上記発明では、装置の異常発生時に画像形成に係るデータなどがバスを経由して大量に伝送されていると、音による報知をバスを経由して行うと音切れする可能性があるが、バスを経由しない第１の報知であれば音切れせずに行うことができる。また、バスを経由した大量のデータ伝送などが行われていなければ、バスを経由した第２の報知を音切れせずに行うことができる。
【００１１】
そのため、装置の異常発生時にはバスのビジー状態に応じて、バスを経由せずに行う音による第１の報知またはバスを経由して行う音による第２の報知を実行すれば、第２の報知によって音声ガイダンスを行うなどの場合に、バスを経由して音声データをサンプリング周期毎に報知手段に伝送し、報知手段が音声（ガイダンス音声）を途切れなく正常に出力するなどが可能となる。これにより、ガイダンス音声が途切れるような音声再生を防止しつつ、装置に異常が発生したときにはそのことを音によって即座に報知できるようになる。
【００１２】
［２］前記制御部は、前記バスがビジー状態である場合は前記報知手段に前記第１の報知を行わせ、前記バスがビジー状態でない場合は前記報知手段に前記第２の報知を行わせる
ことを特徴とする［１］に記載の画像形成装置。
【００１３】
上記発明では、装置の異常発生時にバスがビジー状態であっても、第１の報知であればバスを経由せずに行えるため、異常発生時に音による第１の報知を直ちに開始しても音切れせずに実行できる。また、バスを経由して行う第２の報知はバスがビジー状態でないときに行うことで、音による第２の報知を音切れせずに実行できるようになる。この第２の報知は、装置の異常発生時にバスがビジー状態でなければ直ちに開始してもよく、その場合も音切れせずに実行することができる。
【００１４】
［３］前記制御部は、前記報知手段に前記第１の報知を行わせているときに前記バスのビジー状態が解除されると前記第２の報知に切り替える
ことを特徴とする［１］または［２］に記載の画像形成装置。
【００１５】
上記発明では、第１の報知を行っているときにバスのビジー状態が解除されると第２の報知に切り替えられるため、バスを経由して行う音による第２の報知をいち早く実行することができる。
【００１６】
［４］前記制御部は、前記報知手段に前記第２の報知を行わせているときに前記バスがビジー状態になると前記第１の報知に切り替える
ことを特徴とする［１］乃至［３］のいずれか１つに記載の画像形成装置。
【００１７】
上記発明では、第２の報知を行っているときにバスがビジー状態になるとバスを経由せずに行う第１の報知に切り替えられるため、音による報知を継続実行できる。
【００１８】
［５］前記制御部は、前記バスに接続された他のデバイスによるバスの使用期間が前記バスを経由して前記報知手段に伝送する音声データのサンプリング周期以上の場合に前記バスがビジー状態であると判断する
ことを特徴とする［１］乃至［４］のいずれか１つに記載の画像形成装置。
【００１９】
上記発明では、バス上の他のデバイスによるバスの使用期間と、バスを経由して報知手段に伝送する音声データのサンプリング周期との関係によってバスのビジー状態を判断する。すなわち、バスに接続された他のデバイスによるバスの使用期間がバスを経由して報知手段に伝送する音声データのサンプリング周期以上である場合には、バスがビジー状態であると判断し、バスを経由せずに行う第１の報知を実行する。また、バスに接続された他のデバイスによるバスの使用期間が音声データのサンプリング周期より短い場合には、バスがビジー状態ではないと判断し、バスを経由して行う第２の報知を実行する。
【００２０】
これにより、装置の異常発生から動作停止までの間にバス上の他のデバイスによってバスが使用されるような場合などでも、音声データのサンプリング周期内でバスに開放期間が確保されれば、第２の報知を音切れせずに実行することができる。
【００２１】
［６］画像形成および音による報知を行うための各信号が伝送されるバスに接続され、前記バスを経由せずに行う音による第１の報知および前記バスを経由して行う音による第２の報知を実行可能な報知手段と、
装置の異常が検出されるとジョブの実行状態に応じて前記報知手段に前記第１の報知または前記第２の報知を行わせる制御部と、
を備える
ことを特徴とする画像形成装置。
【００２２】
上記発明では、装置の異常発生時にジョブ実行中で画像形成に係るデータなどがバスを経由して大量に伝送されていると、音による報知をバスを経由して行うと音切れする可能性があるが、バスを経由しない第１の報知であれば音切れせずに行うことができる。また、ジョブが実行されていない、あるいは、バスを経由した大量のデータ伝送などが行われていなければ、バスを経由した第２の報知を音切れせずに行うことができる。
【００２３】
そのため、装置の異常発生時にはジョブが実行されているか否か、あるいは、ジョブの処理量や同時実行数などのジョブの実行状態に応じて、バスを経由せずに行う音による第１の報知またはバスを経由して行う音による第２の報知を実行すれば、第２の報知によって音声ガイダンスを行うような場合に、バスを経由して音声データをサンプリング周期毎に報知手段に伝送し、報知手段が音声（ガイダンス音声）を途切れなく正常に出力するなどが可能となる。これにより、ガイダンス音声が途切れるような音声再生を防止しつつ、装置に異常が発生したときにはそのことを音によって即座に報知できるようになる。
【００２４】
［７］前記制御部は、前記ジョブが実行されている場合は前記報知手段に前記第１の報知を行わせ、ジョブが実行されていない場合は前記報知手段に前記第２の報知を行わせる
ことを特徴とする［６］に記載の画像形成装置。
【００２５】
上記発明では、装置の異常発生時にジョブ実行中でバスを経由した大量のデータ伝送などが行われていても、第１の報知であればバスを経由せずに行えるため、異常発生時に音による第１の報知を直ちに開始しても音切れせずに実行できる。また、バスを経由して行う第２の報知はジョブが実行されていないときに行うことで、音による第２の報知を音切れせずに実行できるようになる。この第２の報知は、装置の異常発生時にジョブが実行されていなければ直ちに開始してもよく、その場合も音切れせずに実行することができる。
【００２６】
［８］前記制御部は、前記報知手段に前記第１の報知を行わせているときにジョブが終了すると前記第２の報知に切り替える
ことを特徴とする［６］または［７］に記載の画像形成装置。
【００２７】
上記発明では、第１の報知を行っているときにジョブが終了すると第２の報知に切り替えられるため、バスを経由して行う音による第２の報知をいち早く実行することができる。
【００２８】
［９］前記制御部は、前記報知手段に前記第２の報知を行わせているときにジョブが実行されると前記第１の報知に切り替える
ことを特徴とする［６］乃至［８］のいずれか１つに記載の画像形成装置。
【００２９】
上記発明では、第２の報知を行っているときにジョブが実行されるとバスを経由せずに行う第１の報知に切り替えられるため、音による報知を継続実行できる。
【００３０】
［１０］前記第１の報知はブザー音による報知である
ことを特徴とする［１］乃至［９］のいずれか１つに記載の画像形成装置。
【００３１】
上記発明では、ブザー音であれば、たとえば発振回路をバスを介さずに報知手段に直接接続するなどして発生させられるため、バスを経由せずに行う音による第１の報知を簡単な構成で実現できる。
【００３２】
［１１］前記報知手段は、前記第１の報知を行うときは発振回路から入力される所定の周波数のアナログ信号を用いて音を出力する
ことを特徴とする［１］乃至［１０］のいずれか１つに記載の画像形成装置。
【００３３】
上記発明では、発振回路が生成する所定の周波数のアナログ信号を音源に用いて第１の報知を行うので、バスを経由せずに行う音による第１の報知を簡単な構成により実現できる。
【００３４】
［１２］前記報知手段は、前記第２の報知を行うときは前記バスを経由して入力されるデジタル信号の音声データを用いて音声を出力する
ことを特徴とする［１］乃至［１１］のいずれか１つに記載の画像形成装置。
【００３５】
上記発明では、報知手段はバスを経由して入力される音声データを用いて、装置の異常内容を説明するガイダンス音声などを再生して出力できるようになり、第２の報知によって音声ガイダンスが行えるようになる。
【００３６】
［１３］前記報知手段は、前記第１の報知および前記第２の報知を実行可能な音声ＩＣである
ことを特徴とする［１］乃至［１２］のいずれか１つに記載の画像形成装置。
【００３７】
上記発明では、制御部は単一の音声ＩＣ（Integrated Circuit）を制御することによって第１の報知と第２の報知の動作を切り替えられるようになる。このような単一の音声ＩＣを用いることで、たとえば音による２種類の報知機能（第１および第２の報知機能）を備えた報知手段を報知機能毎に個別（別系統）に構成し制御するような場合に比べて、構成が簡単になり制御が容易になる。
【００３８】
［１４］前記音声ＩＣは、アナログ信号を入力するためのアナログＩ／Ｆと、デジタル信号を入力するためのデジタルＩ／Ｆとを備え、
前記アナログＩ／Ｆに前記発振回路が接続されている
ことを特徴とする［１２］に記載の画像形成装置。
【００３９】
上記発明では、音声ＩＣがアナログＩ／Ｆを備えることで、アナログ信号を生成する発振回路をアナログＩ／Ｆに直接接続してバスを使用せずに信号入力できるようになる。
【００４０】
［１５］前記音声ＩＣの前記デジタルＩ／Ｆは前記バスに接続されている
ことを特徴とする［１４］に記載の画像形成装置。
【００４１】
上記発明では、音声ＩＣはバスからデジタルＩ／Ｆを通して音声データが入力されるようになる。
【００４２】
［１６］前記異常は、装置の故障、装置の動作エラー、および前記画像形成に用いる消耗品切れの少なくとも１つである
ことを特徴とする［１］乃至［１５］のいずれか１つに記載の画像形成装置。
【００４３】
画像形成装置では、装置の故障、画像形成における用紙詰まりなどの装置の動作エラー、画像形成に用いる用紙などの消耗品切れが発生すると、装置の動作が停止して画像形成の生産性が低下するため、報知の即時性と迅速な対応が求められる。
【００４４】
これに対し、上記発明では、装置の故障、装置の動作エラー、および画像形成に用いる消耗品切れの少なくとも１つが発生すると異常として検出され、直ちに音による第１または第２の報知が実行されるため、ユーザはそれらの異常に迅速に対応できるようになる。これにより、装置の異常停止に伴う画像形成の生産性低下が抑えられる。
【００４５】
［１７］前記制御部は、前記異常が発生するか否かを事前に予測し、異常が発生すると予測した場合は前記装置の異常が検出されたと判断する
ことを特徴とする［１］乃至［１６］のいずれか１つに記載の画像形成装置。
【００４６】
上記発明では、装置に異常が発生すると予測された場合にも第１または第２の報知が実行されるため、現時点では装置が正常に動作していても近々異常が発生することを報知できる。これにより、実際に異常が発生する前にユーザがいち早く対応できるようになり、異常の対応に要する装置の動作停止時間を短縮することができて画像形成の生産性低下を更に抑制できる。
【００４７】
［１８］前記第１の報知および前記第２の報知の少なくとも一方は、所定の終了事象が発生しない場合は一定期間行う
ことを特徴とする［１］乃至［１７］のいずれか１つに記載の画像形成装置。
【００４８】
上記発明では、装置に異常が発生すると、異常の復旧などの所定の終了事象が発生しない限り、音による報知が一定期間行われるため、ユーザが装置のそばに居なくても聴覚を通して異常状態の発生をより確実に知らせることができる。また、ユーザが装置周辺に居ないなどで異常の対応が行われないような場合でも、一定期間を過ぎると音による報知が停止されるため、無駄な報知動作を防止できる。
【００４９】
［１９］前記一定期間の設定を変更する設定変更手段を備える
ことを特徴とする［１８］に記載の画像形成装置。
【００５０】
上記発明では、音による報知を行う一定期間を変更できるため、ユーザは画像形成装置の使用形態などに応じて報知を行う期間を任意に設定変更できるようになる。
【発明の効果】
【００５１】
本発明に係る画像形成装置によれば、ガイダンス音声が途切れるような音声再生を防止しつつ、装置に異常が発生したときにはそのことを音によって即座に報知することができる。
【発明を実施するための最良の形態】
【００５２】
以下、図面に基づき本発明の実施の形態を説明する。
【００５３】
図１は、本発明の実施の形態に係る画像形成装置１０の構成をブロック図で示している。画像形成装置１０は、原稿を読み取って対応する画像を用紙上に形成して出力するコピー機能や、スキャナ機能、プリンタ機能などを備えた複写機などとして構成されている。また、装置に異常が発生したときにそのことをブザー音（アラーム音）で報知する機能（第１の報知機能）、および、異常の内容をガイダンス音声で報知する音声ガイダンス機能（第２の報知機能）を備えている。
【００５４】
上記の各機能を実現するために画像形成装置１０は、ＣＰＵ（Central Processing Unit）１１と、ＣＰＵ１１に接続されたワークメモリ１２と、メモリ制御部１３と、メモリ制御部１３に接続された画像メモリ１４と、ＨＤＤ１５と、画像読取部１６と、画像書込部１７と、操作部１８と、ＵＳＢ制御部１９と、ＬＡＮ（Local Area Network）制御部２０と、音声コーデックＩＣ２１と、音声コーデックＩＣ２１に接続された発振回路２２およびスピーカ２３とを備えている。また、ＣＰＵ１１、メモリ制御部１３、ＨＤＤ１５、画像読取部１６、画像書込部１７、操作部１８、ＵＳＢ制御部１９、ＬＡＮ制御部２０、音声コーデックＩＣ２１は、信号（データ）を伝送（転送）するためのバス２６を介して相互に接続されている。
【００５５】
ＣＰＵ１１は、演算処理機能を備えると共に、画像形成装置全体の動作を統括制御する制御部として機能する。ワークメモリ１２は、ＣＰＵ１１が実行するプログラムやプログラムを実行する際に各種データを一時的に格納する機能を果たす。またワークメモリ１２には、音声ガイダンス機能にて使用される各種のガイダンス音声に対応する音声データが格納されている。
【００５６】
メモリ制御部１３は、画像メモリ１４に対する画像データの書き込みと読み出しを制御する機能を果たす。画像メモリ１４は、メモリ制御部１３によって書き込まれた画像データを一時的に格納する機能を果たす。ＨＤＤ１５は、制御プログラムや汎用オペレーティング・システムのプログラム、装置固有の各種パラメータなどの格納に使用される。画像形成装置１０の立ち上げ時にＣＰＵ１１内の起動プログラムを実行することで、ＨＤＤ１５内のプログラムがワークメモリ１２に展開されて動作するようになっている。
【００５７】
画像読取部１６は、原稿画像を読み取って対応する画像データを取り込む機能を果たす。画像書込部１７は、画像データに対応する画像を電子写真プロセスによって用紙上に形成して出力する機能を果たす。
【００５８】
操作部１８は、表面にタッチパネルを備えた液晶ディスプレイと各種の操作スイッチから構成され、ユーザーに各種の案内表示や状態表示を行ったり、ユーザーから各種の操作を受け付けたりする機能を有している。また、装置の異常発生時に出力されるブザー音とガイダンス音声はそれぞれ一定期間出力されるよう予め設定されており、この一定期間については操作部１８を通して個別に設定変更できるようになっている。また、ブザー音またはガイダンス音声の出力中に、操作部１８を通したリセット操作や異常の復旧などが行われて所定の終了事象が発生すると、一定期間が経過する前でも報知動作が停止するようになっている。
【００５９】
ＵＳＢ制御部１９は、画像形成装置１０のＵＳＢ端子（図示省略）に接続された外部機器や外部デバイスと装置内部のデバイスとの間でやり取りするデータの伝送を制御する機能を果たす。ＬＡＮ制御部２０は、ネットワークを介して画像形成装置１０のＬＡＮ端子（図示省略）と接続された外部機器と行う通信やデータの伝送を制御する機能を果たす。
【００６０】
音声コーデックＩＣ２１は、デジタル信号用のデジタルＩ／Ｆ２４とアナログ信号用のアナログＩ／Ｆ２５を備えている。音声コーデックＩＣ２１のデジタルＩ／Ｆ２４はバス２６に接続されており、アナログＩ／Ｆ２５には発振回路２２が接続されている。この音声コーデックＩＣ２１は、アナログＩ／Ｆ２５から入力されたアナログ信号をＤＡＣ（Digital/Analog Codec）スルーし増幅してそのまま音声信号として出力する機能と、デジタルＩ／Ｆ２４から入力されたデジタル信号（音声データ）をＤＡ（Digital-Analog）変換し音声信号として出力する機能とを有している。
【００６１】
発振回路２２は、所定の周波数のアナログ信号を生成する機能を果たし、生成したアナログ信号を音声コーデックＩＣ２１のアナログＩ／Ｆ２５に入力する。スピーカ２３は、音声コーデックＩＣ２１から入力された音声信号に対応するブザー音またはガイダンス音声を出力する機能を果たす。
【００６２】
次に、画像形成装置１０の動作について説明する。
【００６３】
本実施形態に係る画像形成装置１０では、異常が発生すると、あるいは異常の発生が事前に予測されると、ブザー音またはガイダンス音声を出力して画像形成装置１０に異常が発生したこと、あるいはまもなく異常が発生することを音によってユーザに報知する。この異常の内容（症状）には、たとえば、装置の故障、用紙詰まりなどの動作エラー、給紙トレイ内の用紙や画像書込部１７に装填されたトナーなどの消耗品切れ、排紙トレイやフィニッシャなどに印刷済みの用紙が満杯になった状態などが含まれる。
【００６４】
図２は、画像形成装置１０の異常発生を音によって報知する動作の流れを示している。
【００６５】
画像形成装置１０が起動すると（ＳＴＡＲＴ）、ＣＰＵ１１は装置各部の状態を監視し、装置各部に設けられた検出部から送信される検出情報に基づいて、異常状態が発生したか否かまたは異常状態の発生を事前に予測したか否かを判断する（ステップＳ１０１）。
【００６６】
異常状態が発生しない（正常状態）または異常状態の発生を事前に予測できない場合は（ステップＳ１０１；Ｎｏ）、そのまま装置各部の状態の監視を継続する。
【００６７】
異常状態が発生したまたは異常状態の発生を事前に予測した場合は（ステップＳ１０１；Ｙｅｓ）、そのことをガイダンス音声の再生によって途切れることなく正常に報知できるか否か、すなわち、ワークメモリ１２に格納された音声データをバス２６を通じて所定のサンプリング周期で音声コーデックＩＣ２１に伝送できるか否かを判断するために、バス２６がビジー状態であるか否かを判断する（ステップＳ１０２）。
【００６８】
バス２６がビジー状態であると判断した場合は（ステップＳ１０２；Ｙｅｓ）、ＣＰＵ１１はブザー音を発生して出力するよう各部を動作させる。具体的には、ＣＰＵ１１は音声コーデックＩＣ２１の入力をアナログＩ／Ｆ２５に切り換え（ステップＳ１０３）、アナログ入力モードによる音発生動作の実行を指示する。発振回路２２により生成された所定の周波数のアナログ信号はアナログＩ／Ｆ２５に入力され、音声コーデックＩＣ２１は入力されたアナログ信号をＤＡＣスルーし増幅してそのまま音声信号としてスピーカ２３へ出力する。これにより、スピーカ２３からは入力された音声信号に対応する所定の周波数のブザー音が出力される。
【００６９】
このブザー音が出力されている間に、ＣＰＵ１１は検出部から送信される検出情報に基づいて異常状態が終了したか否かを判断する（ステップＳ１０４）。異常状態が終了したと判断した場合は（ステップＳ１０４；Ｙｅｓ）、ＣＰＵ１１は音声コーデックＩＣ２１のアナログ入力モードによる音発生動作をオフにしてブザー音の出力を停止し、本処理を終了する（ＥＮＤ）。異常状態が終了していないと判断した場合は（ステップＳ１０４；Ｎｏ）、一定期間が経過したか否かを判断する（ステップＳ１０５）。
【００７０】
一定期間が経過しない場合は（ステップＳ１０５；Ｎｏ）、ステップＳ１０２の処理へ戻る。一定期間が経過した場合は（ステップＳ１０５；Ｙｅｓ）、ＣＰＵ１１は音声コーデックＩＣ２１のアナログ入力モードによる音発生動作をオフにしてブザー音の出力を停止し、本処理を終了する（ＥＮＤ）。
【００７１】
一方、ステップＳ１０２でバス２６がビジー状態でないと判断した場合は（ステップＳ１０２；Ｎｏ）、ＣＰＵ１１はガイダンス音声を再生して出力するよう各部を動作させる。具体的には、ＣＰＵ１１は音声コーデックＩＣ２１の入力をデジタルＩ／Ｆ２４に切り換え（ステップＳ１０６）、デジタル入力モードでの音発生動作（音声再生動作）を起動制御し、ワークメモリ１２に格納されている、今回検出された異常に対応する音声データを所定のサンプリング周期で音声コーデックＩＣ２１に伝送する。
【００７２】
音声コーデックＩＣ２１は、バス２６を介してデジタルＩ／Ｆ２４から入力された音声データをＤＡ変換し音声信号としてスピーカ２３へ出力する。これにより、スピーカ２３からは今回検出された異常に対応するガイダンス音声の再生音が出力される。
【００７３】
このガイダンス音声の再生音が出力されている間に、ＣＰＵ１１は検出部から送信される検出情報に基づいて異常状態が終了したか否かを判断する（ステップＳ１０７）。異常状態が終了したと判断した場合は（ステップＳ１０７；Ｙｅｓ）、ＣＰＵ１１は音声コーデックＩＣ２１のデジタル入力モードによる音発生動作をオフにすると共に、音声コーデックＩＣ２１への音声データの伝送を止めてガイダンス音声の再生を停止し、本処理を終了する（ＥＮＤ）。異常状態が終了していないと判断した場合は（ステップＳ１０７；Ｎｏ）、一定期間が経過したか否かを判断する（ステップＳ１０８）。
【００７４】
一定期間が経過しない場合は（ステップＳ１０８；Ｎｏ）、ステップＳ１０２の処理へ戻る。一定期間が経過した場合は（ステップＳ１０８；Ｙｅｓ）、ＣＰＵ１１は音声コーデックＩＣ２１のデジタル入力モードによる音発生動作をオフにすると共に、音声コーデックＩＣ２１への音声データの伝送を止めてガイダンス音声の再生を停止し、本処理を終了する（ＥＮＤ）。
【００７５】
以上の処理によって、画像形成装置１０が動作中（ジョブ処理中）でバス２６がビジー状態であっても、異常発生時には直ちにブザー音が出力されるようになり、ユーザはブザー音を聴いて異常状態の発生をいち早く認識できるようになる。またブザー音を出力している間の一定期間内に、画像形成装置１０が動作を終了してバス２６のビジー状態が解除されると、ブザー音に代わってガイダンス音声の再生音が出力されるようになり、ユーザはガイダンス音声を聴いて異常内容の詳細を把握できるようになる。
【００７６】
また、バス２６がビジー状態でないときに異常状態が発生した場合には、直ちにガイダンス音声が出力されるようになり、ユーザはガイダンス音声を聴いて異常状態の発生と異常内容の詳細をいち早く把握できるようになる。さらに、ガイダンス音声の出力中に新たなジョブ処理が開始されてバス２６が再びビジー状態になると、ガイダンス音声に代わってブザー音が出力されるようになり、音による異常状態の報知が継続して行われる。
【００７７】
次に、上記の報知動作におけるバス２６のビジー状態を判断する動作（図２のステップＳ１０２）の詳細について説明する。
【００７８】
図３は、バス２６のビジー状態を判断する動作の流れを示している。本処理が開始されると（ＳＴＡＲＴ）、ＣＰＵ１１はジョブの実行に伴いバス２６に接続されたデバイスが動作中であるか否かを判断する（ステップＳ１１１）。
【００７９】
画像形成装置１０が待機中などでデバイスが動作しておらずバス２６が使用されていない場合は（ステップＳ１１１；Ｎｏ）、バス２６がビジー状態でないと判断し（ステップＳ１１２）、本処理を終了する（ＥＮＤ）。また、バス２６に接続されたデバイスが動作中でバス２６が使用されている場合は（ステップＳ１１１；Ｙｅｓ）、ＣＰＵ１１は、ジョブ処理の実行によるデバイスの動作期間（バス２６の使用期間）が音声データのサンプリング周期以上であるか否かを判断する（ステップＳ１１３）。
【００８０】
デバイスの動作期間が音声データのサンプリング周期以上の場合は（ステップＳ１１３；Ｙｅｓ）、バス２６がビジー状態であると判断し（ステップＳ１１４）、本処理を終了する（ＥＮＤ）。また、ジョブ処理の実行中であっても、デバイスの動作期間が音声データのサンプリング周期より短い場合は（ステップＳ１１３；Ｎｏ）、バス２６がビジー状態でないと判断し（ステップＳ１１２）、本処理を終了する（ＥＮＤ）。
【００８１】
以下、バス２６のビジー状態を判断するために行うデバイスの動作期間の求め方について説明する。
【００８２】
図４は、デバイスの動作期間を求めるために使用されるテーブルの一例を示している。図４に示すように、テーブル４０にはバス２６に接続されたデバイス毎にそのデバイスが動作時にバス２６を占有する動作期間の長さと、そのデバイスが動作中か否かを示す動作カウンタとが登録される。
【００８３】
たとえば、バス２６に接続されたデバイスとして、デバイスＡ、デバイスＢ、デバイスＣ、・・・が登録されており、動作期間については、デバイスＡが１００μｓ、デバイスＢが２００μｓ、デバイスＣが８０μｓ、・・・などのように登録される。これらの動作期間は予め計算あるいは実測により求めたものである。
【００８４】
各ジョブの実行時にどのデバイスを使用するかはジョブの種類やジョブの動作条件などに応じて予め定まっている。ＣＰＵ１１は、あるジョブの実行を開始するとき、そのジョブで使用するデバイスの動作カウンタを＋１し、ジョブ実行の終了時あるいは中断時にはそのジョブで使用していたデバイスの動作カウンタを−１する。
【００８５】
上記の処理を行うことで、現在どのデバイスが動作中か否かが動作カウンタにより示されることになる。なお、２つのジョブが同時実行されている場合（たとえば、コピー動作中にＦＡＸ受信する場合など）には、それらのジョブで重複して使用されるデバイスの動作カウンタの値は２になる。
【００８６】
ＣＰＵ１１は、バス２６がビジー状態であるか否かの判断を行う際に、テーブル４０を参照し、動作カウンタの値が１以上のデバイスの動作期間の合計を求める。この合計はその時点でＣＰＵ１１以外のデバイスによってバス２６が連続して占有され得る期間（バス２６の使用期間）の長さを示している。たとえば、デバイスＡとデバイスＢの動作カウンタの値が１以上の場合は、１００μｓ＋２００μｓ＝３００μｓがバス２６の使用期間となる。
【００８７】
ＣＰＵ１１は、求めた使用期間が音声データのサンプリング周期以上の場合はバス２６がビジー状態であると判断する。たとえば、サンプリング周波数が８ｋＨｚ（サンプリング周期が１２５μｓ）の音声データを再生しようとしているとき、テーブル４０を参照してその時点での使用期間を求め、その使用期間が１２５μｓ以上の場合はバス２６がビジー状態であると判断し、１２５μｓより短い場合はバス２６がビジー状態でないと判断する。使用期間は、上記のようにビジー状態か否かの判断毎に求めてもよいが、動作カウンタの値を変更したときに使用期間を算出して記憶しておき、これをビジー状態の判断時に参照するように構成されてもよい。
【００８８】
なお、バス２６がビジー状態になる例としては、ＦＡＸやスキャンtoE-Mail、ＩＰ（Internet Protocol）プリントなど画像データを伝送するときに発生しやすくなる。
【００８９】
次に、上記の報知動作における異常状態の発生を事前に予測する動作（図２のステップＳ１０１）の詳細について、用紙切れの場合を例に説明する。
【００９０】
図５は、異常状態（用紙切れ）の発生を事前に予測する動作の流れを示している。本処理が開始されると（ＳＴＡＲＴ）、ＣＰＵ１１は新規ジョブの予約があるか否かを判断する（ステップＳ１２１）。新規ジョブの予約がない場合は（ステップＳ１２１；Ｎｏ）、そのまま新規ジョブの予約があるか否かの監視を継続する。
【００９１】
新規ジョブの予約があった場合は（ステップＳ１２１；Ｙｅｓ）、ＣＰＵ１１は、本ジョブの印刷枚数と、用紙の残枚数を検出するために給紙トレイに設けられた用紙残枚数検出部から送信される検出情報に基づいて、給紙トレイに収納されている用紙の残枚数を確認する（ステップＳ１２２）。
【００９２】
この確認後に、ＣＰＵ１１は本ジョブの印刷枚数よりも用紙の残枚数が少ないか否かを判断する（ステップＳ１２３）。印刷枚数よりも用紙の残枚数が少ない場合は（ステップＳ１２３；Ｙｅｓ）、本ジョブの実行に伴い用紙切れによる異常状態が発生すると予測し（ステップＳ１２４）、本処理を終了する（ＥＮＤ）。用紙の残枚数が印刷枚数以上の場合は（ステップＳ１２３；Ｎｏ）、本ジョブを処理しても用紙切れによる異常状態が発生しないと予測し（ステップＳ１２５）、本処理を終了する（ＥＮＤ）。
【００９３】
以上説明したように、本実施形態の画像形成装置１０では、装置の異常発生時にバス２６がビジー状態であれば、バス２６を経由せずに出力するブザー音による報知（第１の報知）を行うことで、装置の異常発生時に音による報知を直ちに開始しても音切れせずに実行できる。また、バス２６を経由して出力するガイダンス音声による報知（第２の報知）は、バス２６がビジー状態でないときに行うことで、バス２６を経由して音声データをサンプリング周期毎に音声コーデックＩＣ２１に伝送し、音声コーデックＩＣ２１がガイダンス音声を途切れなく正常に再生できるようになる。このガイダンス音声による報知は、装置の異常発生時にバス２６がビジー状態でなければ直ちに開始されるが、その場合も音切れせずに実行されるようになる。
【００９４】
このように、装置の異常発生時にはバス２６のビジー状態に応じて直ちにブザー音またはガイダンス音声が途切れずに出力されるため、ユーザはその音を聴いて装置に異常が発生したことを即座に認識できる。たとえば、異常発生後に装置が継続動作中でバス２６がビジー状態であればブザー音が出力され、その後、装置が動作を停止してバス２６のビジー状態が解除されると、ブザー音に替わって異常内容を報知するガイダンス音声が途切れずに再生される。ユーザはこのガイダンス音声を聴いて装置の具体的な異常内容を音切れなどによって誤認することなく正確に把握し、症状に応じた適切な対応を迅速に行えるようになる。
【００９５】
また、画像形成装置１０の異常については、装置の故障、画像形成における用紙詰まりなどの装置の動作エラー、画像形成に用いるトナーや用紙などの消耗品切れ、排紙トレイやフィニッシャなどに印刷済みの用紙が満杯になった状態などを含んでいる。これらの異常が少なくとも１つ発生すると、装置が異常状態になったとして検出され、直ちにブザー音またはガイダンス音声による報知が実行されるため、ユーザはそれらの異常に迅速に対応できるようになる。これにより、装置の異常停止に伴う画像形成の生産性低下が抑えられる。
【００９６】
また、ＣＰＵ１１は異常が発生するか否かを事前に予測しており、異常が発生すると予測した場合には装置の異常が検出されたと判断する。そのため、装置に異常が発生すると予測された場合にもブザー音またはガイダンス音声による報知が実行され、現時点では正常に動作していても近々異常が発生することを報知できる。これにより、実際に異常が発生する前にユーザがいち早く対応できるようになり、異常の対応に要する装置の動作停止時間を短縮することができて画像形成の生産性低下を更に抑制できる。
【００９７】
また、装置の異常発生時にはリセット操作などがされない限り音（ブザー音／ガイダンス音声）による報知が一定期間行われるため、ユーザが装置のそばに居なくても聴覚を通して異常状態の発生をより確実に知らせることができる。また、ユーザが装置周辺に居ないなどで異常の対応が行われないような場合でも、一定期間を過ぎると音による報知が停止するため、無駄な報知動作を防止できる。さらに、この音による報知を行う一定期間は操作部１８により設定変更できるため、ユーザは画像形成装置１０の使用形態などに応じて報知を行う期間を任意に設定変更できるようになる。
【００９８】
たとえば、ＰＯＤ（Print On Demand）市場向けに開発された複写機は印刷工場などで使用されることが多く、ユーザが複写機のそばで印刷動作を常時監視できない状況が多い。そのため、用紙詰まり、給紙トレイの用紙切れ、フィニッシャなどに用紙が満杯になってしまうような異常状態が発生したときには、ブザー音などを使って聴覚的にユーザに知らせる必要がある。ただし、これらの症状では異常状態が発生しても複写機の機能が継続動作している場合が多く、この複写機の動作中には音声データを音声コーデックＩＣに伝送してガイダンス音声を再生しようとしても音声が途切れる可能性がある。
【００９９】
これに対し、本実施形態に係る画像形成装置１０では、ガイダンス音声が途切れるような音声再生を防止しつつ、装置に異常が発生したときにはそのことを音によって即座に報知することができるため、ＰＯＤ市場向けに開発された複写機などに適用する場合に特に好適である。
【０１００】
また、バス２６がビジー状態であるか否かについては、バス２６に接続された他のデバイスによるバス２６の使用期間と、バス２６を経由して音声コーデックＩＣ２１に伝送する音声データのサンプリング周期との関係によって判断している。すなわち、バス２６に接続された他のデバイスによるバス２６の使用期間がバス２６を経由して音声コーデックＩＣ２１に伝送する音声データのサンプリング周期以上である場合には、バス２６がビジー状態であると判断し、バス２６を経由せずに行うブザー音の出力を実行する。
【０１０１】
また、バス２６に接続された他のデバイスによるバス２６の使用期間が音声データのサンプリング周期より短い場合には、バス２６がビジー状態ではないと判断し、バス２６を経由して行うガイダンス音声の再生を実行する。これにより、装置の異常発生から動作停止までの間にバス２６に接続された他のデバイスによってバス２６が使用されるような場合などでも、音声データのサンプリング周期内でバス２６に開放期間が確保されれば、ガイダンス音声を音切れせずに再生することができる。
【０１０２】
また、ブザー音の出力中の一定期間内にバス２６のビジー状態が解除されるとガイダンス音声の再生に切り替えられるため、ガイダンス音声による報知をいち早く実行できる。逆に、ガイダンス音声の再生中の一定期間内にバス２６がビジー状態になるとブザー音の出力に切り替えられるため、バス２６がビジー状態になっても音（ブザー音）による異常状態の報知を継続して実行できる。
【０１０３】
また、ＤＡＣスルー機能とＤＡ変換機能とを備えた音声コーデックＩＣ２１を用いていることで、ＣＰＵ１１はこの単一の音声コーデックＩＣ２１を制御することによってＤＡＣスルー機能によるブザー音の出力（第１の報知）とＤＡ変換機能によるガイダンス音声の再生（第２の報知）の動作を切り替えられるようになる。このような単一の音声コーデックＩＣ２１を用いることで、たとえばＤＡＣスルー機能を果たすアナログ回路とＤＡ変換機能を果たすデジタル回路（ＩＣ）とを個別（別系統）に構成し制御するような場合に比べて、構成が簡単になり制御が容易になる。
【０１０４】
また、音声コーデックＩＣ２１がアナログＩ／Ｆ２５を備えることで、アナログ信号を生成する発振回路２２をアナログＩ／Ｆ２５に直接接続してバスを使用せずに信号入力できるようになる。
【０１０５】
また、ブザー音であれば音声データを用いなくても一定周波数のアナログ信号を生成する発振回路などを用いて発生できるため、本実施形態のように発振回路２２をバス２６を介さずに音声コーデックＩＣ２１のアナログＩ／Ｆ２５に直接接続するだけで、音声コーデックＩＣ２１がＤＡＣスルー機能を果たすときには、発振回路２２が生成するアナログ信号を用いてブザー音を発生できるようになり、バス２６を経由せずに行う音による報知を簡単な構成により実現できる。
【０１０６】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０７】
たとえば、実施の形態ではブザー音およびガイダンス音声による報知動作をバス２６のビジー状態に応じて切り替えるようにしたが、これについてはジョブの実行状態に応じて切り替えるように構成されてもよい。
【０１０８】
なお、ジョブ実行中でもジョブの状態によってはバスの使用量が少なく、音切れの生じない場合がある。たとえば、コピージョブはスキャナからの読み込み動作とプリンタへの出力動作を同時並行に行うが、ファイルの印刷ジョブの場合はプリンタへの出力動作のみであるため、バスの使用量が少なくなり音切れしない可能性がある。このようなジョブの実行状態に応じて報知動作を切り替えるようにしてもよく、その場合も、装置の異常発生時にはジョブの実行状態に応じて直ちにブザー音またはガイダンス音声が途切れずに出力されるため、ユーザはその音を聴いて装置に異常が発生したことを即座に認識でき、さらに、ガイダンス音声を聴いて装置の具体的な異常内容を把握し、症状に応じた適切な対応を迅速に行えるようになる。さらにこの場合は、報知動作をバス２６のビジー状態に応じて切り替える構成に比べて、いずれの報知動作を実行するかの判断が容易になる。
【０１０９】
なお、ここでの「ジョブ実行中」とは、ジョブの開始から終了までの期間や、異常が発生したとき、ジョブにかかわる動作を停止させるまで（ジョブは途中であるが中断している状態）などが挙げられる。また、複数ジョブ（たとえば、ＦＡＸ送信と、メモリからのプリントアウト）の実行中にあるジョブに異常が発生し、そのジョブを中断したときは他のジョブが実行中であり、この状態はジョブ実行中としてもよいし、当該ジョブについてはジョブ終了しているので、ジョブの実行中でないとしてもよい。
【０１１０】
また、ジョブの実行状態に応じて報知動作を切り替える構成においては、ジョブが実行されている場合はブザー音などによる報知を行い、ジョブが実行されていない場合はガイダンス音声による報知を行うように構成されてもよい。また、ブザー音などの出力中にジョブが終了するとガイダンス音声の再生に切り替えるよう構成すれば、ガイダンス音声による報知をいち早く実行できるようになり、ガイダンス音声の再生中にジョブが実行されるとブザー音などの出力に切り替えるように構成すれば、再度ジョブが実行されても音による異常状態の報知を継続して実行できるようになる。
【０１１１】
なお、実施の形態で説明したバス２６のビジー状態に応じて報知動作を切り替える構成の場合は、音切れの可能性があるか否かを上記のようなジョブ単位に比べて細かく判断しているので、ブザー音またはガイダンス音声のいずれで報知するかの判断をより適切に行うことができる。
【０１１２】
また、バス２６がビジー状態であるか否かを判断する方法は実施の形態で例示したものに限定されない。たとえば、実施の形態で例示したテーブル４０ではデバイス毎に動作期間を登録しまた動作カウンタを設けるようにしたが、これらをデバイス別かつ動作条件別に設けるように構成されてもよい。たとえば、Ａ４原稿の画像データを処理する場合とＡ３原稿の画像データを処理する場合とではデバイスによるバス２６の占有期間の長さが相違する。そこで、原稿サイズを動作条件とし、同一のデバイスに対して原稿サイズ別に動作期間と動作カウンタとを設けておき、ジョブ実行時や終了時・中断時にその原稿サイズに対応する動作カウンタを加減算するようにすれば、より正確なバス２６の使用期間を求めることができる。
【０１１３】
また、実施の形態ではジョブの実行時や終了時・中断時に動作カウンタの値を加減算するようにしたが、あるデバイスをＣＰＵ１１が起動する際にそのデバイスに対応する動作カウンタの値を＋１し、デバイスから動作終了の割り込みが入ったときそのデバイスに対応する動作カウンタの値を−１するようにしてもよい。この方法では実際のデバイスの動作状態がテーブル４０に反映されるようになり、バス２６がビジー状態であるか否かの判断がより正確なものになる。このほか、ＣＰＵ１１以外のデバイスがバス２６を使用している期間をバス２６の調停信号などを監視して計測する外部回路を設け、この外部回路の計測結果からバス２６がビジー状態であるか否かを判断するように構成されてもよい。
【０１１４】
また、実施の形態ではバス２６を経由せずに音による報知を行うためにアナログ信号を生成する発振回路２２を用い、音声コーデックＩＣ２１に直接接続するようにしているが、これに代えて音声データを内部に格納して音声信号を発生できる構成の音声コーデックＩＣなどを用いるようにしてもよい。
【０１１５】
また、音声コーデックＩＣ２１はアナログＩ／Ｆ２５から入力されたアナログ信号をスルーし増幅して音声信号として出力する機能（ＤＡＣスルー機能）を備えているが、この機能を果たすアナログ増幅回路を個別に構成して発振回路とスピーカの間に接続し、ＣＰＵ１１が発振回路からアナログ増幅回路への信号入力を制御してアナログ増幅回路から出力される音声信号の出力制御を行うなどのように構成してもよい。
【０１１６】
また、音声データはＣＰＵ１１に接続されたワークメモリ１２に格納しているが、バス２６に直接接続された他のメモリや音声データ用に設けたメモリなどに格納するようにしてもよい。
【０１１７】
また、異常状態の予測については、用紙切れの場合（ジョブの印刷枚数＞用紙の残枚数）で説明したが、この異常状態の予測はトナー切れなどに対しても可能であり、たとえば、トナー消費量とトナー残量の関係（ジョブによるトナー消費量＞トナー残量）から予測することができる。
【図面の簡単な説明】
【０１１８】
【図１】本発明の実施の形態に係る画像形成装置の構成を示すブロック図である。
【図２】本発明の実施の形態に係る画像形成装置の異常発生時に音で報知する動作の流れを示すフローチャートである。
【図３】本発明の実施の形態に係る画像形成装置のバスのビジー状態を判断する動作の流れを示すフローチャートである。
【図４】本発明の実施の形態に係る画像形成装置のバスに接続されたデバイスの動作期間を求めるために使用されるテーブルを示す図である。
【図５】本発明の実施の形態に係る画像形成装置の異常状態の発生を事前に予測する動作の流れを示すフローチャートである。
【符号の説明】
【０１１９】
１０…画像形成装置
１１…ＣＰＵ
１２…ワークメモリ
１３…メモリ制御部
１４…画像メモリ
１５…ＨＤＤ
１６…画像読取部
１７…画像書込部
１８…操作部
１９…ＵＳＢ制御部
２０…ＬＡＮ制御部
２１…音声コーデックＩＣ
２２…発振回路
２３…スピーカ
２４…デジタルＩ／Ｆ
２５…アナログＩ／Ｆ
２６…バス
４０…テーブル
【図１】
2008281870.tif 000003
【図２】
2008281870.tif 000004
【図３】
2008281870.tif 000005
【図４】
2008281870.tif 000006
【図５】
2008281870.tif 000007